(57)【要約】スポーツ靴、特にゴルフシューズが記載されており、この靴は、下向きになっている係合部材が装着されているか又は装着できる靴底部を備えている。前記係合部材（１０）を装着するために使用の発明の係合要素（９）又は装置は、案内され、保持されて、円弧、特に円形の円弧にそって往復動するようになっている。
2006503679.tif 000002
【特許請求の範囲】
【請求項１】
スポーツ靴、特にゴルフシューズであり、この靴は、下向きになっている地面に係合する要素が装着されているか又は装着できる靴底部を備えていて、地面に係合する要素（９）又は該要素を取り付ける手段（１０）は、円弧、特に円形の円弧に沿って前進、後退するように案内され、保持されていることを特徴とするもの。
【請求項２】
地面に係合する要素（９）又はこれらを装着するために設けられた要素（１０）は、始動開始位置と最終位置との間を移動できるようになっていることを特徴とする請求項１に規定のスポーツ靴。
【請求項３】
地面に係合する要素（９）又はこれらを装着するために設けられた要素（１０）には、少なくとも一つの支持体（１２〜１７、３０〜３３）が設けられていて、該支持体は、案内手段（２〜７、２８、３４〜３７）により案内、保持されて前記円弧に沿って動くようになっていることを特徴とする請求項１又は請求項２に規定のスポーツ靴。
【請求項４】
支持体（１２〜１７、３０〜３３）が始動開始位置と最終位置との間を移動できるようになっていることを特徴とする請求項３に規定のスポーツ靴。
【請求項５】
支持体（１２〜１７、３０〜３３）が案内手段（２〜７、２８、３４〜３７）により取り外しできないように保持されていることを特徴とする請求項３又は請求項４に規定のスポーツ靴。
【請求項６】
支持体（１２〜１７）がスライド体であることを特徴とする請求項３から請求項５のいずれか一つに規定のスポーツ靴。
【請求項７】
案内手段（２〜７）が円弧状の溝であって、支持体（１２〜１７）に合致していることを特徴とする請求項３から請求項６のいずれか一つに規定のスポーツ靴。
【請求項８】
スライド体（１２〜１７）が円形の円弧の形状になっていることを特徴とする請求項３及び請求項７に規定のスポーツ靴。
【請求項９】
二つ又は二つ以上の支持体（１２〜１７）が設けられていて、これらは、実質的に同心状のもので、それらそれぞれは、別個の案内手段（２〜７）により保持され、スライド可能に案内されることを特徴とする請求項３から請求項８のいずれか一つに規定のスポーツ靴。
【請求項１０】
少なくとも一つの支持体（１２〜１５）が足の前側領域にあり、少なくとも一つの支持体（１６、１７）が踵部領域にあることを特徴とする請求項９に規定のスポーツ靴。
【請求項１１】
案内手段（２〜７、２８、３４〜３７）の両端部が閉止され、これにより、支持体（１２〜１７、３０〜３３）の動きが制限されていることを特徴とする請求項３から請求項１０のいずれか一つに規定のスポーツ靴。
【請求項１２】
案内手段（２〜７）の少なくとも一方の端部が開放されていて、これによって、それぞれの支持体（１２〜１７）がその案内手段（２〜７）の外へある程度飛び出すことができるようになっていることを特徴とする請求項３から請求項１０のいずれか一つに規定のスポーツ靴。
【請求項１３】
支持体（１２〜１７）及び案内手段（２〜７）の間で作用し、支持体（１２〜１７）に当接し、案内手段（２〜７）の外へ飛び出す長さを規制するストッパ（２４、２５）が設けてあることを特徴とする請求項１２に規定のスポーツ靴。
【請求項１４】
支持体（１２〜１７）は、始動開始位置をもち、その端部は、靴底部（１）の縁部に一致していることを特徴とする請求項１１又は請求項１３に規定のスポーツ靴。
【請求項１５】
支持体は、スライド体（１２〜１７）であり、これは、案内手段（２〜７）にそってスライドし、その始動開始位置においては、溝（２〜７）の開口に一致し、これを閉止し、この開口を介して靴底部（１）の縁部を越えて押し出されることができるようになっていることを特徴とする請求項１４に規定のスポーツ靴。
【請求項１６】
支持体（１２〜１７）は、これを受ける案内手段（２〜７）よりも短いものである請求項３から請求項１５のいずれか一つに規定のスポーツ靴。
【請求項１７】
案内手段（２〜７，２８，３４〜３７）は、前記支持体（１２〜１７、３０〜３３）を始動開始位置へ戻すことができる戻しスプリング１９と共働することを特徴とする請求項１６に規定のスポーツ靴。
【請求項１８】
戻しスプリングは、円形の円弧の中心点を抱くようになっていることを特徴とする請求項１７に規定のスポーツ靴。
【請求項１９】
支持体（１２〜１７、３０〜３３）とその案内手段（２〜７、２８、３４〜３７）との間を結合し、この結合により、案内手段にそって移動する間、案内手段（２〜７、２８、３４〜３７）内に保持されているか又は案内手段にそっていることを特徴とする請求項１３から請求項１８のいずれか一つに規定のスポーツ靴。
【請求項２０】
案内手段（２〜７）がそれらの長さ方向縁部にそってアンダーカットされていて、それぞれの支持体（１２〜１７）が該アンダーカット部分に係合されていることを特徴とする請求項１９に規定のスポーツ靴。
【請求項２１】
支持体（１２〜１７）が段つき構造になっていて、案内手段（２〜７）のアンダーカット部分に合致するようになっていることを特徴とする請求項２０に規定のスポーツ靴。
【請求項２２】
支持体（１２〜１７）と案内手段（２〜７）が溝と舌部結合の手段により互いに係合していることを特徴とする請求項１９から請求項２１のいずれか一つに規定のスポーツ靴。
【請求項２３】
支持体（１２〜１７、３０〜３３）がプラスチック素材で成形されていることを特徴とする請求項３から請求項２２のいずれか一つに規定のスポーツ靴。
【請求項２４】
支持体（１２〜１７、３０〜３３）がスポーツ靴の靴底部１と同じか又は類似の特性を有するプラスチック素材で成形されていることを特徴とする請求項２３に規定のスポーツ靴。
【請求項２５】
支持体（３０〜３３）が靴底部に取り外しできるように装着されていることを特徴とする請求項３から請求項２４のいずれか一つに規定のスポーツ靴。
【請求項２６】
支持体（３０〜３３）が回動中心点（２８）においてスポーツ靴の靴底部（１）に装着され、前記中心点は、支持体（３０〜３３）の円弧状の移動路の中心点と同心になっていることを特徴とする請求項２５に規定のスポーツ靴。
【請求項２７】
支持体（３０〜３３）には、ホルダー（２７）に設けられていて、このホルダーは、スポーツ靴に取り外しできるように装着されていることを特徴とする請求項２７に規定のスポーツ靴。
【請求項２８】
前記ホルダーは、一つ又は複数のクランプ手段を備え、該手段によりスポーツ靴にクランプされていることを特徴とする請求項２７に規定のスポーツ靴。
【請求項２９】
前記ホルダーは、バックルによりスポーツ靴に取り付けられていることを特徴とする請求項２７に規定のスポーツ靴。
【請求項３０】
前記ホルダーは、受け手段を備え、これにスポーツ靴がおかれ、上からの圧力で強固にロックされることを特徴とする請求項２７に規定のスポーツ靴。
【請求項３１】
下方へ突き出ている地面に係合する要素を受ける手段を備えているソールを有するスポーツ靴、特にゴルフシューズであって、地面に係合する手段（９）又はこれらを取り付けるために設けられた手段（１０）が少なくとも一つの円弧状のスライド体（１２〜１７）に設けられていて、該スライド体は、合致する円弧状の溝（２〜７）に取り外されないように保持されて、始動開始位置と終了位置との間をスライドすることを特徴とするもの。
【請求項３２】
二つ又は二つ以上の支持体（１２〜１７）が設けられていて、これらは実質的に同心状に配置され、それぞれがスライドするように別個の溝（２〜７）に保持されていることを特徴とする請求項３１に規定のスポーツ靴。
【請求項３３】
少なくとも一つのスライド体（１２〜１５）が足の前部側に配置され、少なくとも一つのスライド体（１６〜１７）が踵部側に配置されていることを特徴とする請求項３２に規定のスポーツ靴。
【請求項３４】
溝（２〜７）は、両端部で閉止されていることを特徴とする請求項３１から請求項３３のいずれか一つに規定のスポーツ靴。
【請求項３５】
溝（２〜７）は、一方の端部が開放され、それぞれのスライド体（１２〜１７）が溝（２〜７）の外へある程度突き出ることを特徴とする請求項３１から請求項３３のいずれか一つに規定のスポーツ靴。
【請求項３６】
それぞれのスライド体（１２〜１７）と溝（２〜７）の間に設けられているストッパ（２４、２５）で、該ストパにスライド体（１２〜１７）が突き当たり、該スライド体の溝（２〜７）からの突き出し長さを規制することを特徴とする請求項３５に規定のスポーツ靴。
【請求項３７】
始動開始位置においては、それぞれのスライド体（１２〜１７）は、溝（２〜７）の開口に接し、これを塞いで、靴底部（１）の縁部から押し出されるようになっていることを特徴とする請求項３５又は請求項３６に規定のスポーツ靴。
【請求項３８】
それぞれのスライド体（１２〜１７）は、これを受ける溝（２〜７）よりも短くなっていることを特徴とする請求項３１から請求項３７のいずれか一つに規定のスポーツ靴。
【請求項３９】
戻しスプリング（１９）が各溝（２〜７）に配置されていて、それぞれのスライド体（１２〜１７）を始動開始位置へ戻すようになっていることを特徴とする請求項３８に規定のスポーツ靴。
【請求項４０】
溝（２〜７）とスライド体（１２〜１７）との間を結合し、この結合により、スライド体は、移動の間溝（２〜７）内に保持されていることを特徴とする請求項３１から請求項３９のいずれか一つに規定のスポーツ靴。
【請求項４１】
案内手段（２〜７）がそれらの長さ方向縁部にそってアンダーカットされていて、それぞれのスライド体（１２〜１７）が前記アンダーカット部分に係合されていることを特徴とする請求項４０に規定のスポーツ靴。
【請求項４２】
スライド体（１２〜１７）が段つき構造になっていて、前記溝（２〜７）のアンダーカット部分に合致するようになっていることを特徴とする請求項４１に規定のスポーツ靴。
【請求項４３】
スライド体（１２〜１７）と溝（２〜７）が溝と舌部結合の手段により互いに係合していることを特徴とする請求項４０から請求項４２のいずれか一つに規定のスポーツ靴。
【請求項４４】
スライド体（１２〜１７）がプラスチック素材で成形されていることを特徴とする請求項３１から請求項４３のいずれか一つに規定のスポーツ靴。
【請求項４５】
スライド体（１２〜１７）がスポーツ靴の靴底部１の残りの部分と同じか又は類似の特性を有するプラスチック素材からなることを特徴とする請求項４４に規定のスポーツ靴。
【請求項４６】
地面に係合の要素（９）又はこれらを取り付けるために設けられた手段（１０）が戻しスプリング（１９）と共働することを特徴とする請求項１又は４４項２に規定のスポーツ靴。
【請求項４７】
戻しスプリングが円形の円弧の中心点を抱くように配置されていることを特徴とする請求項４６に規定のスポーツ靴。
【請求項４８】
前記円弧の曲率中心（Ｍ、Ｍ５、Ｍ６、２８）がスポーツ靴の踵部又は踵部側に位置していることを特徴とする前記請求項のいずれか一つに規定のスポーツ靴。
【請求項４９】
前記円弧の曲率中心（Ｍ、Ｍ５、Ｍ６、２８）がスポーツ靴の踵部又は踵部側と足の前側との間にあることを特徴とする請求項４８に規定のスポーツ靴。
【請求項５０】
前記円弧の曲率中心（Ｍ、Ｍ５、Ｍ６、２８）がスポーツ靴の踵部又は踵部側と中足側との間にあることを特徴とする請求項４８に規定のスポーツ靴。
【請求項５１】
前記円弧の曲率中心（Ｍ、Ｍ５、Ｍ６、２８）が頂点を有する足の底の円弧の点にあることを特徴とする請求項４８に規定のスポーツ靴。
【請求項５２】
共通の支持体（３９）、特にプレートに踵部側にはない係合要素（９）のすべてが設けられていることを特徴とする請求項３に規定のスポーツ靴。
【請求項５３】
共通の支持体（３９）、特にプレートに踵部側の係合要素（９）のすべてが設けられていることを特徴とする請求項３に規定のスポーツ靴。
【請求項５４】
二つの支持体（３８、３９）が共通のピボット軸（２８）を有していることを特徴とする請求項５２と請求項５３に規定のスポーツ靴。
【請求項５５】
二つの支持体（３８、３９）が共通のピボット軸（２８）を有していることを特徴とする請求項５４に規定のスポーツ靴。
【請求項５６】
二つの支持体（３８、３９）は、一体になっていることを特徴とする請求項５５に規定のスポーツ靴。
【発明の詳細な説明】
【技術分野】
【０００１】
この発明は、請求項１のプリアンブルに規定の特徴をもつゴルファー用のスポーツ靴に関するものである。ゴルフシューズは、多かれ少なかれ輪郭形状を異にするプラスチック靴底部を有し、しっかり地面に食い付き、ゴルファーの安定性をよくするようにするために、突出した地面係合要素、特にスイパイクを備え、これらが深く又は浅く芝生又は地面に突き刺さるようになっている。スパイクは、スチール又はセラミック素材からなり、さらにはまた、所謂ソフトスパイク又はプラスチックスパイクも利用されるようになっている。ソフトスパイクは、ゴルフコースによっては強制的なものとなっており、これは、スチール又はセラミック素材から作られているスピアクよりもゴルフコースを傷めないものとされているからである。スパイクは、しっかりと靴底部に止着されているか、又は、交換できるようにもなっている。後者の場合、靴底部には、ねじ溝つき孔が設けられているのが普通であって、例えば、金属のねじ溝付きブッシュを靴底部に埋込み、これに合致する溝が外側にあるスパイクをねじ込むことができるようになっている。
【０００２】
ゴルフボールを打つとき、特に、ティーにボールをおいて打つとき、プレイヤーの胴部とウエストがプレイヤーの背柱と一致すべきである安定軸まわりを理想的に回転しなければならない。プレイヤーは、ゴルフクラブを上方へスイングし、ついで戻し、下方前方に向けボールの位置を通り、最終的には、狙った的の方向へスイング運動を続ける一方、プレイヤーの胴部とウエストを回転させ、ブレストと骨盤とがゴルフボールを飛ばす方向に回転した体位で動きを終える。スイング運動の終りにおいては、プレイヤーの体位が狙った向きになっていて、ウエストと骨盤とがそのような向きになっていることが必要であり−終わりの線にクロスする元の位置に立つが、狙った方向には明らかに曲がり過ぎていて、このため使用者の左足の外側縁が地面に向き、左足の内側縁が持ち上がる一方、右足は、狙った方向にターンし、右足踵部が地面から上へ持ち上がる。左利きプレイヤーにとっては、左足と右足の動きがそれぞれ逆になり、左足が曲がり、右踵部が地面から持ち上がる。ゴルフボールを遠くへ飛ばすとき、プレイヤーの身体は、強くねじれ、このねじれは、背柱の上まで達し、靭帯及び関節を緊張させてしまう。この理由で、ゴルファー、特に運動を頻繁に行ったり、トレーニングを完全に行ったり、行わなかったり、及び／又は相当の年齢に達している−これは、殆どのゴルファーに言えること−プレイヤーは、背中と肢の領域に緊張からの過度の伸ばし、緊迫さ、関節の骨の転位及び／又は痛みを受けてしまう。ドイツ特許  ＤＥ  １００  ３０  ９１７  Ａ１から知られるゴルフ靴には、踵部にスパイクつきのねじれプレートが設けられているが、これも同様にこれらの作用を防ぐことができない。
【０００３】
そこで、この発明は、ゴルフボールを打つときになされる不自然な動きの結果生じてしまうプレイヤーの身体に対する緊張作用及び損傷作用をいかに少なくするかの手段を与えること目的とするものである。
【０００４】
この目的は、請求項１に規定の特徴をもつスポーツ靴により達成される。この発明のさらなる有利な展開は、従属請求項の主題になっている。
【０００５】
この発明は、右利きの人についてのみ以下に記載するが、この説明は、左利きの人にも同様に適用される。
【０００６】
ゴルファー−右利き−がスイング動作のときに必要な安定性を与える作用をもつ通常の靴を左足に履いているとき、スパイクが地面や芝生に突きささっているため、スイング動作についてゆけない。しかしながら、他方、ゴルファーは、スイング運動の間、左足を上げることができず、右足と同じスイング面に対し左足を向けることができず、ついでプレイヤーは、動きのモーメントで保持をゆるめ、前倒しになってしまう。
【０００７】
この発明によるスポーツ靴を使用した場合には、局面が全く変わってしまう。この発明にようスポーツ靴のスパイクは、同じように地面に刺さるが、前記靴は、始動位置からある程度の角度で回転して、狙った方向に向くもので、これは、円形の円弧にそってスパイクが案内されるから、好ましくは、円形の円弧の形状をしているか、又はスパイクを円弧にそって案内する案内手段で案内され、保持されている一つ又は複数の可動の支持体にスパイクが設けられていることによるからである。したがって、前記靴は、地面に刺されているスパイクに対し相応に回転することができるようになっている。左の靴が回転しても、スイング運動の回転の間は左側の靴のスパイクが地面に刺さっているので、ゴルファーの安定性が脅かされることはない。
【０００８】
この発明は、重要な利点を与える：
●スイング動作の間における身体、ウエスト、膝関節及び足関節の捩じれが減る。捩じれ角度がある程度少なくなっただけでも、これによって、プレイヤーの負担を少なくし、楽にするもので、従来のゴルフ靴の場合は、回転角度が大きくなれば回転運動がハードになり、回転運動の最後が身体にとって最もきつく、最も緊張を与え、多くのプレイヤーが耐えられない限界を越えてしまうからである。したがって、捩じれがちょっと軽くなれば、回転運動によるプレイヤーの靭帯の過度の伸びがなくなり、関節部分への度が過ぎた緊張もない。
【０００９】
●傷害の危険、特に、背柱の領域や足関節、膝関節の領域の傷害の危険が大幅に減る。脱臼の危険、さらには、椎間板の外れの危険すら大幅になくなる。
【００１０】
●ゴルファーの体重が前記靴の回転運動の間、靴の外縁から足前部へ移動するので、スイング運動の最後の状態においてのプレイヤーの安定性が増す。
【００１１】
●ゴルフをすることに疲労を感じなくなり、精力を使わなくてもすむ。
【００１２】
●驚くべきことに、ゴルフボールの飛ぶ方向精度の向上が見られた。この結果は、期待していたものではなかったが、ゴルファーの腕前があがり、ゴルフをすることの喜びが増すことは、大いに望ましことは言うまでもない。
【００１３】
前記複数のスパイクは、アンダーカットされた円弧状の溝で個々に案内されるようになっている。これらは、円弧所のスライドする支持体に設けられていることが好ましい。理論的は、前記スパイクを一つの支持体に設けること、実用上では靴底部の足前部に設けるだけで十分である。一つの支持体が設けられているだけの場合、複数のスパイク又は地面に係合する要素の一方が他方の後にあるような配列に適合するのに十分なワイドなものが好ましいものである。踵部側では、スパイクは、あれば有利なものではあるが、この発明の目的からみれば必ずしも必要なものではない。しかしながら、踵部側には、足前部における一つ又は複数の支持体と共働し、さらに、共通の曲率中心をもち、足が決められた回転中心まわりを回転するようになっている一つ又は二つの支持体が同様に設けられていることが好ましい。しかしながら、このことは、別々の支持体が回転する曲率中心の位置が互いにほんのわずかはなれてもいないことを意味するものではない：曲率中心が互いに離れておらず、その結果、前記靴が回転運動できなくなっていることを意味するものでしかない。この点に関して考慮すべき点は、スパイクは、地面に動けないように固定されているものではなく、地面（特に芝生の場合）は、やや弾性をもっている点である。
【００１４】
従来のゴルフ靴の場合のように、スチールスパイク、セラミックスパイク又はソフトスパイクが使用できる；これらスピアクは、支持体にしっかり連結でき、さらにはまた、交換できるようになっている。この発明は、この点についてはなんら制限するものではなく、他の地面係合要素、例えば、支持体と一体に形成されたプラスチックの突起体も使用でき、これにより、スパイクと同様に歩行時の安全性、安定性がよくなる。
【００１５】
スパイク又は支持体は、始動開始位置と終了位置との間を前進後退できるようになっていることが好ましい。スパイク又は支持体及び案内手段は、ついで、互いに動きの長さ一杯にわたって互いに係合状態にある。しかしながら、例えば練習目的のためといった要求度がさほど高くない用途のためには、スポーツ靴の靴底部における始動開始位置と終了位置をきめておく必要はない。スイング運動の運動力の結果、支持体が案内手段の外へスライドして飛び出すべきものであるとする場合は、次のスイング運動がなされる前に支持体を案内手段における元の位置へ戻しておかなければならない。しかしながら、支持体が案内手段の外へスライドして突き出ると、地面に突き刺さったスパイクは、この場合、支持体をそれぞれの位置へ保ち、次のスイング運動の為に足の始動開始位置がマークされることで、練習目的に有利さを与える。
【００１６】
普通のプレイの操作においては、しかしながら、支持体が案内手段により前記靴に取り外しできないように保持されていることが好ましい。
【００１７】
スポーツ靴の構造が案内手段の外側へ前記支持体がある長さ程度突き出るようになっている場合には、前記支持体と前記案内手段との間にストッパを設けることが好ましく、これによって、前記支持体が前記案内手段からスライドして突き出る長さを限定できる。このようなストッパは、例えば、案内手段とそれぞれの支持体の両者に肩部を設け、前記支持体が前記案内手段からスライドして突き出るとき、互いに当接するようにすることで実現できる。
【００１８】
スイング運動の結果移動することで、支持体を始動開始位置へ戻るようにしなければならない。これは、プレイヤーが片方の足をあげ、地面からスパイクを抜くようにする前に、その足を反対方向へ回転させることで行える。さらに楽な行い方は、各案内手段に戻しスプリングを設け、このスプリングで支持体を始動開始位置へ自動的に戻すことである。このような戻しスプリングは、例えばヘリカルスプリングや空気圧スプリングとして構成される。
【００１９】
好ましくは、それぞれの支持体は、これを受ける案内手段よりも短くなっている。これは、前記案内手段の両端部が閉止されている場合において、該システムがスライドできるようにするためのものである。案内手段の一方の端部が開放されている場合、戻しスプリングを設けることが強制的なものでないとしても戻しスプリングを設けている方が便利であり、これは、戻しスプリングが支持体の内側に適合するようになっているからである。戻しスプリングは、その一端が案内手段の一方の端部に止着されていて、始動開始位置で支持体に当たる一方、他端が案内手段の他方の端部に止着されるようになっていて、この場合には、案内手段の全長が支持体の移動に使用されるようになっている。
【００２０】
回転運動の間、支持体が案内手段又は靴底部から完全に離れないことが好ましい。その代わり、支持体は案内手段にしっかり保持され、くるぶし部分が過度に曲がってもスライド自由に係合しているように成っていなければならない。この点は、案内手段と支持体とを積極的に組み合わせること、特に、案内手段に複数の溝を設け、これら溝の両サイドをアンダーカットし、これに適合する形状で、スパイクを支持するスライド体を係合することにより行われる。溝と舌片、特にあり継ぎ連結が特に適している。
【００２１】
支持体が案内手段の一方の側縁からから突き出る一方、ストッパが他方か突き出ないようにするのが好ましい。
【００２２】
ストッパを用いて支持体がスライドして案内手段又は靴底部から完全に抜け出ないようにストッパを用いることが好ましい。支持体を案内手段又は靴底部へ戻すには、使用者が他方の足で支持体を押し戻すようにすればよい。しかしながら、戻しスプリング、特に空気圧スプリングを設けることが好ましい。
【００２３】
支持体が案内手段の一方の側縁からスライドして突き出るようになっている靴の場合、支持体を完全に戻し又は押し戻して、靴の側縁から突き出ないようにすることが必要である。始動開始位置にあっては支持体の端部側は、靴底部の側縁と面一なっていて、スライドできるようになっていることが好ましい。
【００２４】
身体を回転させている間、支持体がスライドする方向は、足前部の領域に較べて踵部側の領域では異なることが好ましい。共通の曲率中心は、靴底部の踵部と足前部との間に位置すべきである。好ましくは、足の足底の頂部があるポイント当たりにあるべきものである。
【００２５】
支持体は、金属又はプラスチック素材から作られている。これらは、前記靴の靴底部に使用したプラスチック素材と同様の特性をもつプラスチック素材から作られることが好ましい。そして、前記支持体は、特に柔軟性については、靴底部の可塑性に合った可塑性をもつようになっている。この点で歩行が楽になり、特に該支持体がスライドするようになっていて、前記案内手段が前記スライド体を受ける靴底部の溝からなっている場合、支持体の機能を損なわないようになる。
【００２６】
前記案内手段が靴底部の溝からなり、前記支持体がスライド体からなり、前記溝で受けられて保持される場合、この発明による利点は、寸法的に小さくなり、歩行の感じも従来のスポーツ靴と変わらないものとなる点である。しかしながら、円弧状の複数のレールやブラケットを靴底部や靴底部の溝、スロット又は類似の凹部に設けてもよく、これらの端部を靴底部に止着し、これらレールやブラケットにそってスライドする円弧状のスパイクを支持するスライド体を設けるようにもできる。
【００２７】
前記溝がスライド体の動きの案内手段として選択された場合、これらの溝の両端部を閉止する。これによって、スライド体が十分に保護され、クラッシュしなくなる。しかしながら、前記溝の一方の端部のみを開放しておくと、それぞれのスライド体は、溝からある程度の長さだけ突き出ることができるようになる。これによって、前記靴は、スイング運動の作用で回転するとき、前記溝の両端が閉止されている場合よりも大きな角度での回転ができる利点が生じる。前記スライド体の構造、配置に応じて、前記角度の範囲は、上限３０度の範囲となるか、テレスコープ構成により、それより僅かではあるが大きな角度になる。前記溝の両端部を閉じて回転角度を狭いものとしてもプレイヤーにとっては十分な助けになる。
【００２８】
この発明の別の好ましい実施例によれば、前記スパイクの支持体をスポーツ靴に着脱自由に取り付けることができる。これによって、スポーツ靴は、この発明による装置を取り付けたり、取り付けなかったりの選択ができる。例えば、ゴルファーがゴルフ練習場でゴルフボールをティーにのせて打つ練習を多く行いたいゴルフショウにおいて、スパイクを取り付けた取り外しできる支持体を装着することができ−、さもなくば、ゴルフ練習において、ゴルファーが従来のゴルフ靴を履いていると、靭帯や関節部を伸ばしすぎてしまうが、このような伸ばしは、この発明による装置をスポーツ靴に取り付けていれば、和らげることができる。しかしながらゴルフトーナメントにおいては、この発明による装置を取り外すことができる。案内手段により案内される支持体が円形の円弧にそって動くとき、このような動きの軸は、支持体の回転物理軸となる。このような回転物理軸は、案内手段又は支持体の案内手段部品として好適なものである。そして、前記支持体は、そのような回転物理軸においてスポーツ靴の靴底部に装着される。例えば、前記支持体をプレート状にでき、これを前記軸として作用するねじ付きボルトにより靴底部の面に止着する。ねじ付きボルトを前記靴底部、特に中足部に埋設したねじ溝ブッシュにねじこむ。例えばアンダーカットされた溝又はブラケットのような別の案内手段を靴底部のつま先領域に配置し、前記支持体の前端部を受けて案内し、さらに靴底部の踵部領域に配置し、前記支持体の後端部を受けて案内するようにすることもできる。
【００２９】
別な可能性によれば、前記支持体と関連の案内手段とは、ホルダーに配置し、このホルダーをスポーツ靴、特にその靴底部に着脱自由に取り付けることができる。このホルダーは、この目的のために、一つ又はそれ以上のクランプ手段を備え、この手段により、例えば、側縁側から靴底部を挟むあごによってスポーツ靴に取り付けることができる。また別に、前記ホルダーに受け手段を設け、これにスポーツ靴を置き、例えばスキー締め具のように押さえ下ろして前記靴を上から締め付け、これによって前記締め具にロックすることもできる。
【００３０】
支持体が着脱自由の場合、戻しスプリングを設けて支持体が回転する中心点を抱くようにすることもできる。
【００３１】
この発明によるスポーツ靴は、ゴルフのみならず、スイング運動が行われ、これによってバランスがとれなくなる別のスポーツ、例えば、野球、テニス、陸上ホッケー及び蹴球などにも使用できる。蹴球の靴は、蹴球プレイヤーの回転運動に対する抵抗体になるスタッドを有し、激しい動きのとき、プレイヤーの膝関節やくるぶし関節を伸ばしてしまう。このようなスタッドをこの発明による手段で蹴球の靴に取り付ければ、前記スタッドは、円弧状に動き、関節に作用する伸びが減り、回転運動によるオーバーストレイニングの代表的な結果である十字靭帯の破断を防ぐことができる。
【００３２】
この場合においては、スポーツ靴には、スプリング付勢の釈放機構が取り付けられていて、この機構には、円弧状の動きをスタッドやその他の係合要素が行えるような引き金手段が設けられている。
【００３３】
いくつかの実施例を添付の図面に示す。
【００３４】
図１から図３に示したスポーツ靴は、前部側に４本の円弧状溝２〜５と踵部に２本の別の円弧状溝６、７からなる案内手段が設けられた靴底部１を備え、これらの溝は、互いに同心状になっていて、それらの中心点Ｍ、Ｍ５、Ｍ６は、前部側と踵部側の間にあって、互いに部分的に一致している。前記溝２〜７の各々は、スライド体１２〜１７に適合するようになっていて、これらスライド体は、支持体として機能し、それぞれの溝よりも僅かに短くなっている。最前部のスライド体１２は、スパイク９を保持し、残りのスライド体１３〜１７のそれぞれは、２個のスパイク９を保持し、これらのスパイクは、すべてスライド体１３〜１７の端部側に配置されている。前記スパイク９は、スライド体１２〜１７に埋めこまれたねじブッシュ１０で受けられていて、ねじ部１１により前記ブッシュにねじこまれている。
【００３５】
スライド体１２〜１７は、溝２〜７に移動可能に保持されておるが、取り外しされないようになっており、図２に示すように、溝と舌部の手段で前記溝に連結されている。
【００３６】
スライド体１２〜１７は、前記溝において始動開始位置と始動終了終結位置とを有している。図１は、始動終了位置を示しており、始動開始位置にあっては、前記スライド体は、前記溝の端部に当たるようになっており、場合によっては、前記溝２〜７の端部側に設けたリタースプリングに当たるようになっている。始動開始位置と始動終了位置との間のスライド体１２〜１７の動きの道程でスイングする人のスイングの動きに伴うスポーツ靴の角度がきまる。図４に示す一つの例では、図１に示す例よりも動きの長さが長くなっている。
【００３７】
図４に示した例では、溝２〜７は、両端部が閉止されておらず、一方の端部側だけが閉止されている。溝２〜７は、靴底部１の端部に達しており、即ち、前部側では、足部内側の縁部に達し、踵部側では足部の外側の縁部に達している。始動開始位置においては、スライド体１２〜１５は、靴底部１の内側にそう一方、踵部側の二つのスライド体１６，１７は、始動開始位置においては、踵部の外側縁部に沿うようになっている。スイングする人の体がスイングするとき、スライド体１２〜１７は、ある程度スライドして靴底部１から外側へはみ出す。ついで、これらスライド体は、他方の足部を用いて始動開始位置へ戻すことができる。また別に、図５，６に示してあるような戻しスプリング１９により戻される。
【００３８】
スライド体１４の上面には、円弧状の溝１８が設けられていて、これは、靴底部１の歩行面に対し閉止されているが溝４の基部に対しては開放されており、ヘリカルスプリングの形状をした戻しスプリング１９を受けるようになっており、前記スプリングの両端には、鋼線２０，２１が取り付けられている。鋼線２１の一端が固定されているプレート２２がスライド体１４の端部に固定され、これが溝４から外側へ飛び出すようになっている。他方の鋼線２０の一端が固定されているプレート２３は、溝４の他方の端部に取り付けられている。戻しスプリング１９がスライド体１４の全長にわたった長さでないから、このスプリングが土で汚れることはない。前記戻しスプリングに、使用者の体によるスイング運動の結果により溝４の外側へスライド体１４が飛びだすときにテンションがかかり、靴が使用者により引き上げられたとき、スライド体１４を自動的に戻すようにする。
【００３９】
円弧状の溝１８と同心のスライド体１６における他方の溝２６は、溝１８に加えて一端が開放され、他端が閉じられていて、これによってストッパ２５が形成され、このストッパは、スライド体１６が溝１６から押し出されたとき、最終的にストッパ２４に当たるもので、このストッパ２４は、靴底部から溝６内へ突き出ている突部により形成されている。
【００４０】
図７に示す実施例においては、ホルダー２７が靴底部１の底部にそって回動可能に取り付けられている。これは、靴底部における中足部と踵部との間の領域に埋めこまれたねじブッシュにより行われるもので、このブシュにねじボルト２８を、ワッシャ２９を介してねじ込んでホルダー２７を靴底部１に取り付け、このねじボルト２８を回動中心として前記ホルダーが回動できるようになっている。このホルダー２７は、２本のアーム２７ａ，２７ｂからなり、これらアームは、靴底部１の長さ方向にそってのび、スパイク９が取り付けてあるクロス部材３０、３１、３２、３３を支持している。アーム２７ｂの前端は、ブラケット３４の下側に達しており。該ブラケットの両端部３５は、靴底部１に埋められている。ホルダー２７の前端部は、靴底部１とブラケット３４の間で案内される。踵部の領域においては、クロス部材３３の両端部が靴底部１に設けられている凹部３６に係合し、これら凹部は、靴底部１に取り付けられたカバープレート３７によりカバーされている；図７の図解においては、このカバープレートは、一方の凹部３６の  上の部分が破かれて図示されており、凹部３６に係合するクロス部材３３の端部に作用する下側の戻しスプリング１９を示している。使用者の身体がスイング運動するときの支持体２７の回転方向に関係なく、二つの戻しスプリング１９の一方は。圧縮され、かくして足をあげたときにホルダー２７を始動開始位置へ戻すことができるようになる。
【００４１】
図示された靴は、特にゴルフシューズとしての使用に好適である。一対のゴルフシューズの両方の靴シューズがこの発明による構成をとる必要はない。左手リードの人には、右の靴がこの発明による構造になっていれば十分であり、右手リードの人には、左の靴がこの発明による構造になっていれば十分である。
【００４２】
図８に示す実施例は、図７に図示の実施例と異なっており、この点は、ボルト２８まわりを回動するようになっているホルダー２７のアーム２７ａについては踵部側においてプレート状の支持体３８になっており、ホルダー２７のアーム２７ｂは、中足部とつま先部がプレート状の支持体３９になっている。後側の支持体３８の後端部と前側の支持体３９の前端部は、それぞれスポーツ靴の踵部と該踵部に固定のブラケット４０との間に設けた案内溝に係合するか、または、つま先側においては、靴底部とスポーツ靴の靴底部に固定のブラケット４１の間の案内溝に係合するようになっている。これら二つのブラケット４０，４１は、例えば、金属板、プラスチック素材で成形されている。ブラケット４０，４１には、必要に応じて、ホルダー２７のピボット回転運動を制限するストッパを設けてもよい。ねじつきボルトとして構成されているボルト２８を内端部が該ボルト２８に固定されているか又は靴底部に固定のスリーブに固定の強いスパイラルスプリング４２で囲み、該スプリングの外端部をホルダー２７に設けた例えば靴底部に向いたピンのような取り付け要素４３に固定する。このスパイラルスプリングの構成により、前記スパイラルスプリングが復元力をもたないときには、図８に示すように前記ホルダーは、中央位置に保持される。このホルダーが時計方向又は反時計方向の方向に動くと、スパイラルスプリング４２に復元力が生じ、前記ホルダーを中央位置へ戻すように作用する。プレート状の支持体３８，３９は、ゴルフシューズとして使用される場合には、スパイクの形状であり、サッカーシューズとして使用される場合には、スタッドの形状をとる係合部材９を支持するものになっている。
【図面の簡単な説明】
【００４３】
【図１】スポーツ靴、即ち、この発明によるスポーツ靴の靴底部を示す図。
【図２】図１に示した靴底部のＡ−Ａ線断面図。
【図３】図１に示した靴底部のＢ−Ｂ線断面図。
【図４】図１に類似した状態におけるスポーツ靴の修正実施例を示す図。
【図５】戻しスプリングをもつ靴底部の図２に相当する断面図。
【図６】図４のＣ−Ｃ線にそう水平断面図。
【図７】図１に類似した状態におけるスポーツ靴の別の実施例を示す図。
【図８】図７に類似した状態におけるスポーツ靴の別の実施例を示す図。
【符号の説明】
【００４４】
１          靴底部
２〜５      円弧状溝の案内手段
６、７      円弧状溝の案内手段
９          係合要素  （スパイク）
１０        係合部材  （ブッシュ）
１１        ねじ部
１２〜１７  スライド体
【図１】
2006503679.tif 000003
【図２】
2006503679.tif 000004
【図３】
2006503679.tif 000005
【図４】
2006503679.tif 000006
【図５】
2006503679.tif 000007
【図６】
2006503679.tif 000008
【図７】
2006503679.tif 000009
【図８】
2006503679.tif 000010
2006503679.tif 000011
【国際調査報告】
2006503679.tif 000012
2006503679.tif 000013
2006503679.tif 000014
2006503679.tif 000015
2006503679.tif 000016
2006503679.tif 000017